(57)【要約】【課題】格別の係合構造により、３次元に正確的に位置付けでき、生産全体の経済利益が向上される電気系のコネクターの係合構造を提供する。【解決手段】電気系のコネクターの係合構造は、収納空間のあるベース体が含有され、収納空間に、複数の導電端子に接続されてベース体の一端面から露出するプラグユニットがあり、収納空間においては、開放端の周縁に少なくとも二つの対応する結合部が設置され、また、開放端の両側に、それぞれ、ベース体の底部と連通する凹槽と、蓋板と底板から構成される蓋体とがあり、蓋板が、収納空間の開放端に覆い、底板がベース体の底部に設けられ、導電端子が通すことができ、また、蓋板の端縁にベース体の結合部に対応する欠け口部があり、底板上に、ベース体の底部にある凹槽と係合するための挿し込み部がある。【選択図】図２
0003124071.tif 000002
【実用新案登録請求の範囲】
【請求項１】
収納空間があり、当該収納空間に、複数の導電端子が接続されてベース体の一端面から露出するプラグユニットがあり、当該導電端子が当該ベース体の底部から伸ばし出され、当該収納空間において、開放端の周縁に少なくとも二つの対応する結合部が設置され、開放端の両側に、それぞれ、当該ベース体の底部と連通する凹槽があるベース体と、
当該ベース体の収納空間の開放端に覆う蓋板と、当該蓋板に接続され当該ベース体の底部に設けられ、当該導電端子が通す底板とから構成され、当該蓋板の端縁に、当該ベース体の結合部に対応する欠け口部があり、当該底板に、当該ベース体の底部にある凹槽と係合するための挿し込み部がある蓋体と、
が含有される、
ことを特徴とする電気系のコネクターの係合構造。
【請求項２】
当該結合部は、当該収納空間の開放端の周縁に設置されるストッパーが含有され、当該ストッパーと当該ベース体との間にスロットが形成され、また、当該ストッパーは、当該ベース体に対向する面に突出があることを特徴とする請求項１に記載の電気系のコネクターの係合構造。
【請求項３】
当該凹槽の一側面に突出部があることを特徴とする請求項１に記載の電気系のコネクターの係合構造。
【請求項４】
当該欠け口部の一面に突出があることを特徴とする請求項１に記載の電気系のコネクターの係合構造。
【請求項５】
当該挿し込み部はフック体があることを特徴とする請求項１に記載の電気系のコネクターの係合構造。
【考案の詳細な説明】
【技術分野】
【０００１】
本考案は、電気系のコネクターの係合構造に関し、特に、スライダを使用しない簡単な構造でありながら、ベース体と蓋体とが組立てられた後、３次元に、正確的且つ安定的に位置付けられるものに関する。
【背景技術】
【０００２】
一般に従来のものとして、例えば、中華民国特許公報第092214524号「接続器の組立て構造」（図６を参照しながら）があり、本構造は絶縁ベース体４と基体５と端子ベース６とからなり、当該絶縁ベース体４に対接空間４１と接合部４２とがあり、当該接合部４２の両側に位置付けフック４２１が設置され、当該対接空間４１の底部に複数の貫通槽４１１が設けられ、また、当該対接空間４１が絶縁ベース体４の裏にある接合部４２に連通され、当該基体５は絶縁ベース体４の接合部４２に結合され、その内部に収納空間５１があり、また、その一側に接合部５２が設けられ、当該接合部５２の両側に位置付けフック４２１と結合するための嵌合フック５２１が設けられ、これにより、絶縁ベース体４の接合部４２に接合され、また、当該基体５の下方に係合部品７１が設けられ、当該端子ベース６は基体５の下方に位置し、絶縁ベース体４の接合部４２に結合され、また、收納空間６１があり、そして、基体５の下方に設置される係合部品７１に対応する位置に、基体５と係合するための対応する係合槽７２が設けられ、そのため、基体５の係合部品７１が端子ベース６の係合槽７２に嵌合され、また、基体５の接合部５２の嵌合フック５２１が絶縁ベース体４の接合部４２の位置付けフック４２１に結合されることにより、接続器の組み立てが完了される。
【０００３】
しかしながら、当該絶縁ベース体４と基体５と端子ベース６とを結合する時、フック状である位置付けフック４２１や嵌合フック５２１、係合部品７１及び係合槽７２だけにより、互いに係合されるため、その係合力や安定性が不足であり、３次元に位置付けることができず、絶縁ベース体４と基体５と端子ベース６とが結合されても、外れ易い状態であり、また、当該嵌合フック５２１と係合部品７１とが基体５から外へ伸ばすようであるため、実装する時、折れ易い状態である。
【特許文献１】中華民国特許公報第092214524号
【考案の開示】
【考案が解決しようとする課題】
【０００４】
本考案の主な目的は、３次元に正確的且つ安定的に位置付けでき、係合部品の係合力や安定性が不足であることと、実装する時の折れ易いことを解消できる電気系のコネクターの係合構造を提供する。
【課題を解決するための手段】
【０００５】
本考案は、ベース体の結合部と凹槽及び蓋体の欠け口部と挿し込み部とにより、ベース体と蓋体が組立てされる電気系のコネクターの係合構造である。
【考案を実施するための最良の形態】
【０００６】
図１乃至４は、それぞれ、本考案の立体外観概念図や本考案の立体分解概念図、本考案に係わるベース体の立体外観概念図及び本考案に係わる蓋体の立体外観概念図である。本考案は、図のように、結合部１３と凹槽１４を有するベース体１と、欠け口部２１１と挿し込み部２２１を有する蓋体２から構成され、ベース体１と蓋体２とが組立てられた後、３次元に正確的且つ安定的に位置付けられる電気系のコネクターの係合構造である。
【０００７】
上記のベース体１は収納空間１１があり、当該収納空間１１に複数の導電端子１２１が接続されてベース体１の一端面から露出するプラグユニット１２があり、当該導電端子１２１はベース体１の底部から伸ばし出され、当該収納空間１１は、開放端の周縁に、少なくとも二つの対応する結合部１３が設置され、当該結合部１３は、収納空間１１の開放端の周縁に設置されるストッパー１３１があり、当該ストッパー１３１とベース体１との間にスロット１３２が形成され、また、当該ストッパー１３１は、ベース体１に対向する面に、突出１３３があり、また、当該収納空間１は、開放端の両側に、それぞれ、ベース体１の底部と連通する凹槽１４があり、当該凹槽１４は、一側面に、突出部１４１がある。
【０００８】
当該蓋体２は、ベース体１の収納空間１１の開放端に覆う蓋板２１と、当該蓋板２１に接続されベース体１の底部に設けられ、導電端子１２１が通す底板２２とから構成され、当該蓋板２１の端縁に、ベース体１の結合部１３に対応する欠け口部２１１があり、当該欠け口部２１１の一面に突出２１２があり、当該底板２２上に、ベース体１の底部にある凹槽１４と係合するための挿し込み部２２１があり、当該挿し込み部２２１にはフック体２２２がある。上記の構造により、新規な電気系のコネクターの係合構造が構成される。
【０００９】
図５、５Ａ、５Ｂは、それぞれ、本考案の実装状態の概念図と本考案の第１の組立て後の局部断面の概念図及び本考案第２の組立て後の局部断面の概念図である。図のように、ベース体１と蓋体２とが組立てられると、当該第１の局部断面３から分かるように、当該蓋板２１の端縁の欠け口部２１１(図４のように)が、対応するベース体１の結合部１３に接合され、結合部１３のストッパー１３１が、突出１３３により欠け口部２１１の突出２１２の一側に抵当され、また、結合部１３の一側が欠け口部２１１の一側に密着し、これにより、当該ベース体１と蓋体２が組立てられた時、Ｙ軸とＸ軸方向において、正確的且つ安定的に位置付けられ（図５Ａのように）、また、当該第２の局部断面４から分かるように、当該底板２２の挿し込み部２２１が、ベース体１の底部にある凹槽１４に挿し込み、これにより、当該挿し込み部２２１上のフック体２２２が凹槽１４の一側にある突出部１４１と互いに係合する。そのため、当該ベース体１と蓋体２が組立てられた時、Ｚ軸方向において、正確的且つ安定的に位置付けられ（図５Ｂのように）、これにより、ベース体１と蓋体２とが結合された後、Ｙ、Ｘ、Ｚ軸の３次元に、正確的且つ安定的に位置付けられる。
【００１０】
以上のように、本考案は、ベース体の結合部と凹槽及び蓋体の欠け口部と挿し込み部により、ベース体と蓋体との組立てが、３次元に正確的且つ安定的に位置付けられ、また、より簡単な構造であるため、モールドや生産の経済利益が向上され、従来の欠点を有効的に改善できる電気系のコネクターの係合構造であって、より進歩的且つ実用的であるため、法に従って実用新案登録請求を出願する。
【００１１】
以上は、ただ、本考案のよりよい実施例であり、本考案は、それによって制限されず、また、本考案に係わる実用新案登録請求の範囲や明細書の内容に従って、等価の変更や修正は、全てが、本考案の実用新案登録請求の範囲に含まれる。
【図面の簡単な説明】
【００１２】
【図１】本考案の立体外観の概念図
【図２】本考案の立体分解の概念図
【図３】本考案に係わるベース体の立体外観の概念図
【図４】本考案に係わる蓋体の立体外観の概念図
【図５】本考案の実装状態の概念図
【図５Ａ】本考案の第１の組立て後の局部断面の概念図
【図５Ｂ】本考案の第２の組立て後の局部断面の概念図
【図６】従来の立体分解の概念図
【符号の説明】
【００１３】
（本考案部分）
１         ベース体
１１       収納空間
１２       プラグユニット
１２１     導電端子
１３       結合部
１３１     ストッパー
１３２     スロット
１３３     突出
１４       凹槽
１４１     突出部
２         蓋体
２１       蓋板
２１１     欠け口部
２１２     突出
２２       底板
２２１     挿し込み部
２２２     フック体
３            第１の局部断面
４            第２の局部断面
（従来の部分）
４         絶縁ベース体
４１       対接空間
４１１     貫通槽
４２       接合部
４２１     位置付けフック
５         基体
５１       収納空間
５２       接合部
５２１     嵌合フック
６         端子ベース
６１       收納空間
７１       係合部品
７２       係合槽
【図１】
0003124071.tif 000003
【図２】
0003124071.tif 000004
【図３】
0003124071.tif 000005
【図４】
0003124071.tif 000006
【図５】
0003124071.tif 000007
【図５Ａ】
0003124071.tif 000008
【図５Ｂ】
0003124071.tif 000009
【図６】
0003124071.tif 000010